Podtech/llm-jp-corpus-v4-ja_patent huggingface dataset:
(57)【要約】【課題】  人の往来する歩道での携帯や電車等へ持ち込みがし易い折りたたみ自転車とするために、折りたたみ作業が至極簡単で、且つ折りたたみ状態において横方向の張り出しの少ない、折りたたみ式ペダルを実現する。【解決手段】ペダルの回転主軸をクランクアームへの取付穴部で回転自在に係合し、クランクアーム外側のペダル主軸端にペダル主軸と一体のヒンジを設け、ヒンジを介してペダルを係合した構造とした。【選択図】図１
2014162317.tif 000002
【特許請求の範囲】
【請求項１】
ペダルの回転主軸をクランクアームへの取付穴部で回転自在に係合し、クランクアーム外側のペダル主軸端にペダル主軸と一体のヒンジを設け、ヒンジを介してペダルを係合した構造の、折りたたみ式ペダル。
【発明の詳細な説明】
【技術分野】
【０００１】
本発明は、自転車の収納式クランクペダルの改良に関するものである。
【背景技術】
【０００２】
従来の収納式クランクペダルは各種特許出願されており、その一例として下記のようなものがある。
【先行技術文献】
【特許文献】
【０００３】
【特許文献１】特開平７−１４４６７８
【特許文献２】特許第３６８２１２８
【特許文献３】特許第３７９８３９８
【発明の概要】
【発明が解決しようとする課題】
【０００４】
文献１はペダルの途中部分から折りたたむものであるが、ペダル幅の半分程がクランクアームより外側に残ってしまい十分な収納状態にはならない。文献２、文献３はクランクアームからペダルの軸を着脱するものでありペダルを取り外した状態のクランクアームからの横方向の張り出しは少ない。しかし、ペダル軸の回転部にはペダルを漕ぎクランクアームが回転することで３６０度の方向からこじり力が繰り返し付加される為、ペダル軸を着脱する構造では係合状態が不安定になりがちであり耐久性が厳しいという難点がある。
本発明は、ペダル軸の係合の安定性を保ったまま、折りたたみ作業が至極簡単で、且つ折りたたみ状態において横方向の張り出しの少ない、折りたたみ式ペダルを実現する。
【課題を解決するための手段】
【０００５】
ペダルの回転主軸をクランクアームへの取付穴部で回転自在に係合し、クランクアーム外側のペダル主軸端にペダル主軸と一体のヒンジを設け、ヒンジを介してペダルを係合した構造の、折りたたみ式ペダルとした。
【発明の効果】
【０００６】
ペダルの折りたたみが至極簡単であり、また折りたたみ状態の横方向の張り出しが少ないため、人の往来する歩道での携帯や電車等へ持ち込みがし易くなる。
【図面の簡単な説明】
【０００７】
【図１】本発明の第１の実施例を車両前方から見た図であり、クランクアームは断面で示している。
【図２】図１の、A断面図である。
【図３】図１に対し、クランクアームの回転位置が上死点の状態である。
【図４】図３に対し、ペダルをヒンジ部から折りたたんだ状態である。
【図５】本発明の第２の実施例を車両前方から見た図であり、断面で示している。
【図６】図２を、B方向から見た図である。
【図７】図６に対し、ペダルをヒンジ部から前後それぞれに折りたたんだ状態である。
【発明を実施するための形態】
【０００８】
以下、本発明の実施例について図を参照して説明する。  
図１は本発明の第１の実施例である。図２は、図１のA断面図である。
クランクアーム（１）の取り付け穴にペダル主軸（４）が回転自在に係合され、ペダル主軸（４）端にはペダル基台（５）が一体に構成せれ、ペダル基台（５）上端にはヒンジ（６）が設けられている。ヒンジ（６）ではペダル（３）が回転自在に係合されている。上方からペダル（３）を踏むとヒンジ（６）を中心に下方への回転力が発生するが、ペダル基台（５）の下端部でペダル（３）を支えており、踏力はクランクアーム（１）に伝達される。
【０００９】
図３は、図１に対し、クランクアーム（１）の回転位置が上死点の状態である。クランク軸（２）に対しクランクアーム（１）は図１の状態から１８０度回転しているが、クランクアーム（１）に対してペダル主軸（４）が相対的に回転することでペダル基台（５）やペダル（３）は図１の状態と同じ向きを維持し、図１の状態と同様に踏力はクランクアーム（１）に伝達される。
【００１０】
図４は図３に対し、ペダル（３）をヒンジ（６）で折りたたんだ状態である。
ペダル（３）はヒンジ（６）を中心に弧を描いて１８０度回転し、クランクアーム（１）より自転車の中心側に収納されている。尚、ヒンジ（６）の回転に若干のフリクションを設定することにより、ペダル（３）がガタガタと振れまわることはない。
【００１１】
図５は、本発明の第２の実施例である。図６は、図５をB方向から見た図である。
クランクアーム（１）の取り付け穴にペダル主軸（４）が回転自在に係合され、ペダル主軸（４）端にはペダル基台（５）が一体に構成せれている点は第１の実施例と同様であるが、本実施例ではヒンジ（６）の向きをペダル（３）の面に対して縦に配している。ペダル（３）は前後２つに分割し、それぞれ別個のヒンジ（６）でペダル基台（５）に回転自在に係合されている。また前後のペダル（３）は勘合部（７）で相互に勘合されている。
図７は前後２つのペダル（３）をヒンジ（６）から前後それぞれに折りたたんだ状態である。
【産業上の利用可能性】
【００１２】
折りたたみ自転車に活用され、ペダル折りたたみ作業が至極簡単であり、また折りたたみ状態の横方向の張り出しが少ないため、人の往来する歩道での携帯や電車等へ持ち込みがし易くなる。
【符号の説明】
【００１３】
１    クランクアーム
２    クランク軸
３    ペダル
４    ペダル主軸
５    ペダル基台
６    ヒンジ
７    勘合部
【図１】
2014162317.tif 000003
【図２】
2014162317.tif 000004
【図３】
2014162317.tif 000005
【図４】
2014162317.tif 000006
【図５】
2014162317.tif 000007
【図６】
2014162317.tif 000008
【図７】
2014162317.tif 000009
【手続補正書】
【提出日】平成25年5月26日(2013.5.26)
【手続補正１】
【補正対象書類名】特許請求の範囲
【補正対象項目名】全文
【補正方法】変更
【補正の内容】
【特許請求の範囲】
【請求項１】
ペダル主軸をクランクアームへの取付穴部で回転自在に係合し、クランクアーム外側のペダル主軸端にペダル主軸と一体構成のペダル基台を設け、このペダル基台に設けたヒンジを介して回転自在にペダルを係合した構造の、折りたたみ式ペダル。
【手続補正２】
【補正対象書類名】明細書
【補正対象項目名】０００３
【補正方法】変更
【補正の内容】
【０００３】
【特許文献１】特開平７−１４４６７８
【特許文献２】特許第３６８２１８２
【特許文献３】特許第３７９８３９８
【手続補正３】
【補正対象書類名】明細書
【補正対象項目名】００１０
【補正方法】変更
【補正の内容】
【００１０】
図４は図３に対し、ペダル（３）をヒンジ（６）で折りたたんだ状態である。
ペダル（３）はヒンジ（６）を中心に弧を描いて２７０度回転し、クランクアーム（１）より自転車の中心側に収納されている。尚、ヒンジ（６）の回転に若干のフリクションを設定することにより、ペダル（３）がガタガタと振れまわることはない。
(57)【要約】【課題】浸炭ガス量を絞った場合にも炉内での被処理材の位置に無関係に均一な浸炭処理を行うことができる。【解決手段】真空雰囲気下での浸炭処理に際して、浸炭処理に適した量の浸炭ガスに不活性ガスを混合して所定量以上とした処理ガスを使用する。所定量は例えば５００ｌ／ｈである。【選択図】        なし【特許請求の範囲】
【請求項１】
真空雰囲気下での浸炭処理に際して、浸炭処理に適した量の浸炭ガスに不活性ガスを混合して所定量以上とした処理ガスを使用することを特徴とする真空浸炭処理方法。
【発明の詳細な説明】
【技術分野】
【０００１】
本発明は真空浸炭処理方法に関し、特に、浸炭炉内へ供給する浸炭ガス量を絞った状態でも均一な浸炭処理を行うことができる真空浸炭処理方法に関するものである。
【背景技術】
【０００２】
真空浸炭は、浸炭ムラや表面粒界酸化が無い高品質な浸炭処理を行うことができるとともに、ＣＯ2の排出が無く環境負荷が小さい等の特徴を有している。そして特許文献１には、このような真空浸炭を行う場合に、炉内への浸炭ガスの供給量（浸炭ガス量）を被処理材の量に合わせて適正に制御して、浸炭不足や、浸炭ガスの供給過剰による煤の発生を回避する方法が示されている。
【先行技術文献】
【特許文献】
【０００３】
【特許文献１】特開昭５８−９６８６６号公報
【発明の概要】
【発明が解決しようとする課題】
【０００４】
ところで、上述のように適正な浸炭ガス供給量に制御した場合に、被処理材の量が少ない場合や低温下で長時間浸炭させる場合には、供給する浸炭ガス量を十分に絞る必要があるが、このようにすると歯車等の被処理材を多数積層して炉内へ挿置した場合に、積層体の外部と内部とで被処理材の浸炭度に大きなバラツキを生じるという問題があった。
【０００５】
そこで本発明はこのような課題を解決するもので、炉内へ供給する浸炭ガス量を絞った場合にも被処理材の炉内での位置に無関係に均一な浸炭処理を行うことができる真空浸炭処理方法を提供することを目的とする。
【課題を解決するための手段】
【０００６】
本発明では、真空雰囲気下での浸炭処理に際して、浸炭処理に適した量の浸炭ガスに不活性ガスを混合して所定量以上とした処理ガスを使用することを特徴とする。ここで、所定量は例えば５００ｌ／ｈである。
【０００７】
本発明においては、浸炭処理に際して被処理材の量に応じて浸炭ガスの炉内への供給量を絞っても、これに不活性ガスを混合することによって処理ガスは全体が十分な量になる。この結果、炉内で被処理材が積層されていても、積層された内部の被処理材まで浸炭ガスが十分に供給されて外部と内部の被処理材の浸炭度に大きなバラツキが生じるのが抑えられ、炉内の被処理材の位置に無関係に浸炭処理が一様に行われる。
【発明の効果】
【０００８】
以上のように、本発明の真空浸炭処理方法によれば、浸炭ガス量を絞った場合にも炉内での被処理材の位置に関係なく均一な浸炭処理を行うことができる。
【図面の簡単な説明】
【０００９】
【図１】トレー内に配置された被処理材の平面図である。
【図２】炉の概略断面図である。
【図３】処理ガスの総ガス導入量に対する被処理材の表面炭素濃度差の変化を示す図である。
【発明を実施するための形態】
【００１０】
なお、以下に説明する実施形態はあくまで一例であり、本発明の要旨を逸脱しない範囲で当業者が行う種々の設計的改良も本発明の範囲に含まれる。
【００１１】
本発明の一実施形態として、６ｍ3の容量の浸炭炉に、図１に示すように、被処理材としてＳＣｒ４２０製の歯車を各トレー内に縦横５個で２５個収容し、このトレーを５段重ねで炉内に収容した。なお、ＳＣｒ４２０製の歯車はあくまで被処理材の一例である。図２（１）には浸炭炉２の一例としてその正面概略断面を示し、図２(２)にはその側面概略断面を示す。図２より明らかなように、不活性ガスとしてのＮ2ガスと浸炭ガスとしてのアセチレンガスを混合した処理ガスのガス導入ノズル２１が、積層されたトレー１の左右方向中央の上方で前後二箇所に設けられるとともに、上記トレー１の中心下方に排気口２２が設けられている。
【００１２】
ここで図１中の三桁の括弧つき数字は、トレー１に収納された被処理材Ｗの位置を示すもので、最初の桁は上方からのトレー１の段順を、続く二桁が各段のトレー平面内での前後左右の行列順を示す。例えば［１３１］は最上段のトレー１の、第３行第１列の位置にある被処理材Ｗであることを示す。本実施形態では、表面炭素濃度が最大になると予想される［１１１］の位置にある被処理材Ｗと、表面炭素濃度が最小になると予想される［３３３］の位置にある被処理材Ｗの、それぞれ表面炭素濃度を測定した。
【００１３】
表１は、炉圧を１５００Ｐａとし、被処理材の炉内装入量(表面積)を０．１ｍ2（表１のＡ，Ｂ，Ｃ領域）、０．５ｍ2（表１のＤ，Ｅ，Ｆ領域）、２ｍ2（表１のＧ領域）と変更するとともに、炉温（浸炭温度）を８５０℃（表１のＡ，Ｄ，Ｇ領域）、９５０℃（表１のＢ，Ｅ領域）、１０５０℃（表１のＣ，Ｆ領域）と変更して、所望の浸炭を行うに必要なアセチレンガス（浸炭ガス）の導入量を確保しつつこれに混合する窒素ガスの導入量を変化させて炉内への処理ガスの総ガス導入量を変更し、この時の被処理材の表面炭素濃度の最大値と最小値を測定して、その差を算出したものである。
【００１４】
表１より明らかなように、いずれの領域Ａ〜Ｇにおいても、アセチレンガスと窒素ガスの各炉内導入量を合わせた総ガス導入量が多いほど、被処理材の表面炭素濃度の最大値と最小値の差（表面炭素濃度差）は小さくなって、積層された被処理材の位置に無関係に均一な浸炭処理が行われることを示している。
【００１５】
そこで、図３に示すように、表１中の総ガス導入量を横軸に、被処理材の表面炭素濃度差を縦軸にとって各領域Ａ〜Ｇのデータを図中にプロットすると、表面炭素濃度差は炉内への総ガス導入量の増大に伴ってほぼ単調的に小さくなる。そして本実施形態においては、上記総ガス導入量を５００ｌ／ｈ以上にすると、表面炭素濃度差は表１中の各領域Ａ〜Ｇのいずれにおいても０．１％以下になって（図３中の斜線領域）、十分に均一な被処理材の浸炭処理を行うことができる。
【００１６】
このように本実施形態においては、炉内への導入量を絞った浸炭ガスとしてのアセチレンガスに、不活性ガスとしてのＮ2ガスを混合して炉内へ供給される総ガス導入量を十分な量とすることによって、炉内に積層して装入された被処理材に対してその位置に無関係に均一な浸炭処理を行うことができる。
【００１７】
なお、浸炭ガスはアセチレンガスに限られず、不活性ガスもＮ2ガスに限られないことはもちろんである。また不活性ガスを混合した処理ガスの総ガス導入量をどの程度にするかは炉容積等との兼ね合いで実験的に定められるものである。
【００１８】
【表１】
2014162940.tif 000002
【符号の説明】
【００１９】
１…トレー、２…浸炭炉、２１…ガス導入ノズル、２２…排気口、Ｗ…被処理材。
【図１】
2014162940.tif 000003
【図２】
2014162940.tif 000004
【図３】
2014162940.tif 000005
(57)【要約】【課題】  本来の理想的な姿勢は、横から見たときに首がまっすぐ上に伸びている状態であるが、従来の市販されている姿勢矯正装置では、胸を張り肩甲骨を寄せること、のみに効果が限定され、首や頭部までを支える機能がない。そのため、装置を装着しても、首が前に倒れる症状は矯正することができなかった。  本発明は、首が前に傾斜する問題をも改善することを目的とする猫背矯正装置である。【解決手段】  肩部分のみの従来型の姿勢矯正ベルトに加え、背中から上に伸びる長い頸椎支え板、その板に頭部を固定するベルト、板とベルトの位置を体のサイズに合わせて調節する手段、頭部サイズに合わせベルトの長さを調節する手段、を持つ、猫背矯正装置。【選択図】図１
2014117382.tif 000002
【特許請求の範囲】
【請求項１】
腕の付け根と背中と胸周りをつなぎ引き締めるベルト、背中から上に伸びる長い
頸椎支え板、その板に頭部を固定するベルト、板とベルトの位置を体のサイズに合わ
せて調節する手段、頭部サイズに合わせベルトの長さを調節する手段、を持つ
猫背矯正装置。
【発明の詳細な説明】
【技術分野】
【０００１】
本発明は、首が前に傾斜する状態をも改善する、猫背矯正装置に関するものである。
【背景技術】
【０００２】
従来の姿勢矯正ベルトや猫背矯正装置は、腕の付け根と胸周りをつなぐ装置で、
適度な強さでベルトを引き締め、胸を張り肩甲骨を寄せる効果がある。形としては、
輪を腕に通して使用するもの、ベルトをたすきがけにするもの、等があり、素材も
布製のもの、シリコン製のもの等、様々なタイプがある。
【先行技術文献】
【特許文献】
【０００３】
【特許文献１】特開２０１２−０４０１５２号公報
【発明の概要】
【発明が解決しようとする課題】
【０００４】
本来の理想的な姿勢は、横から見たときに首がまっすぐ上に伸びている状態であるが、
従来の装置ではどのような形状のものでも、首や頭部までを支える機能がないため、
ベルトを装着しても首が前に倒れる症状は矯正することができない。
本発明は、以上の問題点を解決するものである。
【課題を解決するための手段】
【０００５】
腕の付け根と背中と胸周りだけを引き締め固定していた姿勢矯正装置に加え、
背中から上に伸びる長い頸椎支え板、その板に頭部を固定する着脱可能に設けた
ベルト、板とベルトの位置を体のサイズに合わせて調節する手段、頭部サイズに
合わせベルトの長さを調節する手段、を持つ。
以上の構成よりなる、猫背矯正装置である。
【発明の効果】
【０００６】
従来の姿勢矯正装置では矯正されなかった、首が前に傾斜するという問題点を
解決することができ、首がまっすぐ上に伸びた正しい姿勢を保持することができる。
ベルトで頭を固定するため、他の作業に意識が集中し姿勢保持のことを忘れた
状態であっても、正しい姿勢が保持される点が大きな効果である。
各個人のサイズに合わせて頭部ベルトの位置や長さを調節できるため、
いかなるサイズの人も着脱が可能である。
【図面の簡単な説明】
【０００７】
【図１】本発明の斜視図
【図２】本発明の使用状態図
【図３】本発明の別の形状の斜視図
【図４】本発明の頭位置調節機能部分の斜視図
【発明を実施するための形態】
【０００８】
以下、本発明の実施の形態を説明する。
姿勢矯正ベルト部（５）と頭部ベルト部（１）と頸椎支え板（４）とからなる
猫背矯正装置である。
【０００９】
姿勢矯正ベルト部（５）は、両腕の付け根と背中と胸周りにつないで、ベルトで身体
に締め付けるものであり、形態はこれだけに関わらず、市販されている様々なタイプの
姿勢矯正ベルトを基本としている。
【００１０】
姿勢矯正ベルト部（５）の背面中央から後頭部にかけて上に伸びる長い棒状の板、
頸椎支え板（４）を、頸椎支え板接続部（６）でつける。頸椎支え板接続部（６）は、
姿勢矯正ベルト部（５）が布製であれば縫製による方法、シリコン製であれば成型に
よる方法など、元になる従来型の姿勢矯正ベルト部（５）の素材により、好ましい
方法で良い。
【００１１】
頸椎支え板（４）の上部に、頭部ベルト（１）を頭位置調節機能（３）を介して
横向きにつける。
【００１２】
頭位置調節機能（３）は、頭部ベルト（１）の位置を各人の額の位置に合わせ、
頸椎支え板（４）のちょうど良い位置に調節する機能である。頭位置調節機能（３）の
一例としては、柔らかいゴム状のもので頭部ベルト（１）を頸椎支え板（４）に移動
可能に接続し、手でちょうど良い位置に上下させることが可能な方法がある。
この方法を図４に示す。頭部ベルト（１）に伸縮性のある平ゴム（７）を輪にして
縫い付ける。その輪の中に頸椎支え板（４）を通すことにより、なめらかに頭部ベルト
（１）の位置を上下させ、その位置を保持することが可能である。
他にも、頭位置調節機能（３）の具体例としては、頭部ベルト（１）を取り外し可能に
し、頸椎支え板（４）の何カ所かに凹凸を設け、ちょうど良い位置に頭部ベルト（１）を
はめ込むような手段も考えられる。
【００１３】
頭部ベルト（１）を頭の大きさに合わせてサイズを調節する、頭サイズ調節機能（２）
を持つ。これは例えば、面ファスナーや、皮ベルトのように適当な位置の穴に金具を
差し込む方法など、着脱が簡単な方法が良い。
【００１４】
図３に示したような非常に簡単な構造のものもシリコン製であれば可能である。
この場合、頭部ベルト（１）と姿勢矯正ベルト部（５）の腕通し部分は多少柔らかい
素材であること、頸椎支え板（４）と姿勢矯正ベルト部（５）の背中が当たる部分は、
堅めの素材あると、使い勝手が良く好ましい。
【００１５】
本発明は、以上のような構造である。
本発明を使用する時は、まず姿勢矯正ベルト部（５）を装着し胸を張った後に、
頭位置調節機能（３）を使い、自分の頭の位置に頭部ベルト（１）を合わせる。
その後、首を意識的に後ろに引き、頭サイズ調節機能（２）を使い頭にピッタリと
頭部ベルト（１）を固定し、首が前に傾斜しない姿勢を保持する。
【符号の説明】
【００１６】
１  頭部ベルト、  ２  頭サイズ調節機能、  ３  頭位置調節機能、  
４  頸椎支え板、  ５  姿勢矯正ベルト部、  ６  頸椎支え板接続部
７  平ゴム
【図１】
2014117382.tif 000003
【図２】
2014117382.tif 000004
【図３】
2014117382.tif 000005
【図４】
2014117382.tif 000006
(57)【要約】【課題】枕には睡眠を快適にする適度な柔らかさと枕芯の硬さとが求められ、長期使用しても変形しないクッション材が必要である。  本発明は、ウレタン樹脂材の１次クッションとペットボトルによるエアクッションを２次クッションとして、これらのコンビネーションで上記の要件を満たすペットボトル空気枕を提供する。【解決手段】枕の芯部にペットボトルを設け、ペットボトル間には緩衝材を設け、その周囲をウレタン樹脂クッション材で包み、ペットボトル端部の空隙部をウレタン樹脂材で詰め、更に全体を布製枕カバーで包んだことを特徴とするペットボトル空気枕。【選択図】図１
2014117593.tif 000002
【特許請求の範囲】
【請求項１】
枕の芯部に複数のペットボトルを設け、その周囲をウレタン樹脂材で包み、ペットボトル端部の空隙部をウレタン樹脂材で詰め、更に全体を布製枕カバーで包んだことを特徴とするペットボトル空気枕。
【発明の詳細な説明】
【技術分野】
【０００１】  本発明は、一般の家庭およびアウトドアで使用するペットボトル空気枕に関するものである。
【背景技術】
【０００２】  従来、一般家庭用枕は空気圧によるエアークッション以外のクッション材を用いて、枕の快適さを追求している。
【発明の概要】
【発明が解決しようとする課題】
【０００４】  従来、アウトドアや旅行用の空気枕は考案されているが、一般家庭で使用する快適で安価なエアークッション枕は少ない。また快適性のある硬さ、柔らかさや長期使用時の形状変形が問題であった。
本発明は以上の問題点を解決するためになされたものである。
【課題を解決するための手段】
【０００５】  上記問題点を解決するため本発明は、枕の芯部にペットボトルを設け、その周囲をウレタン樹脂材で包み、ペットボトル端部の空隙部をウレタン樹脂材で詰め、更に全体を布製枕カバーで包んだことを特徴とするペットボトル空気枕である。
【発明の効果】
【０００６】  本発明は、ウレタン樹脂材の１次クッションとペットボトルによるエアークッションを２次クッションとして、これらのコンビネーションにより適度な柔らかさと芯の硬さを実現して枕の快適さを提供できる。また長期繰返し使用にもペットボトル内の空気が抵抗力となり枕の形状復元性が優れ、枕の型崩れを抑えることが可能になる。さらに本発明は比較的軽量な枕なので、一般家庭ばかりでなくアウトドアでも使用できる特徴がある。
【図面の簡単な説明】
【０００７】
【図１】本発明の枕カバー内部を現した平面図
【発明を実施するための形態】
【０００８】  以下、本発明の実施の形態を説明する。
ペットボトル（２）の左右底を突き合わせて並べ、ペットボトルの間には緩衝材（３）を詰め、それらの中央部周囲にウレタン樹脂カバー（４）で巻き、端部はウレタン樹脂（端部クッション材）（５）を間隙に詰め、全体を表枕カバー（６）で包み込む。
本発明は以上のような構造である。
【符号の説明】
【０００９】  １空気枕、２ペットボトル（２次クッション）、３緩衝材、４ウレタン樹脂カバー（１次クッション）、５ウレタン樹脂（端部クッション材）、６表枕カバー
【図１】
2014117593.tif 000003
(57)【要約】【課題】靴の不使用時に用いる型崩れ防止具は、軽量で扱いが楽、安価かつ見た目がお洒落なものが望まれる。本発明は、上記の要件を満たす靴の型崩れ防止具を提供する。【解決手段】布製化粧袋で小型ペットボトルを包み込んだ靴の型崩れ防止具。【選択図】図１
2014117592.tif 000002
【特許請求の範囲】
【請求項１】
布製化粧袋で小型ペットボトルを包んだことを特徴とする靴型崩れ防止具。
【発明の詳細な説明】
【技術分野】
【０００１】  本発明は、靴の不使用時に用いる靴の型崩れ防止具に関するものである。
【背景技術】
【０００２】  従来、靴の型崩れ防止には靴製造業者が製品を納入するまでを目的とした仮の物で、紙やビニール製のものがある。また市販の製品としては木製で先端を押し広げるタイプ、さらに防臭剤が詰められたものもある。
【先行技術文献】
【特許文献】
【０００３】
【特許文献１】実用新案公開平６−１９５１９
【特許文献２】登録実用新案第３０９４４４３号
【特許文献３】登録実用新案第３０３５７２２号
【発明の概要】
【発明が解決しようとする課題】
【０００４】  従来、靴の不使用時に用いる型崩れ防止具には、軽量で扱いが簡単、比較的安価かつ見栄えがよくお洒落なものが要求されていた。本発明は上記の問題点を解決するものである。
【課題を解決するための手段】
【０００５】  上記問題点を解決するため本発明は、軽量な小型ペットボトルを布製化粧袋で包み込み、結び紐を取り付けたものである。
【発明の効果】
【０００６】  ペットボトルは安価で手軽に入手でき、資源のリサイクルにも貢献し、軽量なことから靴への差込みが簡単で、差込みの際、各種靴の形状に比較的柔軟に馴染む傍ら、弾力性がある内部空気圧で靴の変形に抵抗・反発し靴の型状を維持する。さらに布製化粧袋で包むので見た目もよく、未使用時の収納が楽しくなる特徴がある。
【図面の簡単な説明】
【０００７】
【図１】本発明の平面図
【図２】本発明の実施例図
【発明を実施するための形態】
【０００８】  以下、本発明の実施の形態を説明する。
小型のペットボトル（２）の口を先端にして閉じ紐（４）付の布製化粧袋（３）に入れ込む。
本発明は以上のような構造である。
本発明を使用するには、布製化粧袋に入った小型のペットボトルの口を、靴の先端に向けて入れる。
【符号の説明】
【０００９】  １靴型崩れ防止具、２小型ペットボトル、３布製化粧袋、４袋閉じ紐
【図１】
2014117592.tif 000003
【図２】
2014117592.tif 000004
(57)【要約】【課題】種々の用途に使用でき、手の不自由なときも、簡単に１枚ずつ、すばやく、取ることができる用紙として、「衛生紙」を提供する。【解決手段】（１）方形用紙１枚ずつの、一角の部分を折って、袋状にする。（２）袋状の折山の部分に、指を入れる目印として、着色する。（３）１枚ずつ、上部に袋の部分が出るようにたたむ。（４）用紙を重ねて、箱に納める。【選択図】図１
2014117591.tif 000002
【特許請求の範囲】
【請求項１】
方形状の紙の一角の部分を折り、略二等辺三角形を形成し、さらに、前記略二等辺三角形状を、先端より、内側に折り畳み、その折山に、指を入れる目印として着色し、さらに、折り辺両端を接着したことを、特徴とする、衛生紙。
【発明の詳細な説明】
【技術分野】
【０００１】本発明は、日常、頻繁に使用する、トイレット・ペーパー、ティシュ・ペーパーなど、使い捨ての用紙、すべてに応用できるタイプの用紙である。
【背景技術】
【０００２】現行の使い捨て用紙、即ち、トイレット・ペーパー、ティッシュ・ペーパー、消毒用ティッシュなどは、数種の形状のものがあり、また、畳み方、取り出し方法も２、３種類あるが、全てが、便利とはかぎらない。特に、手の不自由な方には、うまくカットできないもの、必要分をすぐとりだしにくいものがある。
【発明の概要】
【発明が解決しようとする課題】
【０００４】現在、使用されている、トイレット・ペーパーは、ロール形状がすべてで、それが当たり前になっている。しかし、急いでカットするとき、介護しながら、カットする時、手が不自由な方が、カットするときは、必要量を上手にカッできないことが、しばしばある。
【課題を解決するための手段】
【０００５】方形用紙１枚ずつの、一角の部分を折って、袋状にする。
袋状の箇所を上部にして畳み、必要量を重ねて容器に納める。
用紙は、現在のトイレット・ペーパと同じく、水にとける用紙にする。
ただし、紙質は、厚め（約０，５  ｍｍ）にし、２０ｃｍ×２０ｃｍ  ほどの方形にする。
【発明の効果】
【０００６】（イ）用紙が必要なとき、容器のふたをあけ、指を袋に入れれば、すぐ、１枚取り出せる。
現行のロール・ペーパーを使用するとき、（介護のため）片手であったり、手が不自由であれば、うまくカットできない。または、急いでカットするとき、必要以上に、ペーパーを引き出す結果になる。
また、現在のトイレット・ペーパーの場合、用紙のカット部が、静電気などのために、本体に密着し、すぐに、手にすることができない場合も多い。
これらを、本「衛生紙」は解決する。
（ロ）「衛生紙」は、用紙に指がはいっているので、取り出したまま、すぐ使える。
（ハ）水溶性の紙なので、トイレに流せる。
（ニ）トイレット・ペーパー、ティッシュ・ペーパーとして使用するほかにも、薬品を塗布したり、卓上をふいたり、汚れをぬぐったり、身近において、何にでも使える。
【図面の簡単な説明】
【０００７】
【図１】本発明の用紙の全体図である。
【図２】本発明の用紙を実際に使うときの図である。
【図３】本発明の用紙の畳み方である。
【発明を実施するための形態】
【０００８】以下、本発明を実施するための形態について説明する。
（イ）１枚は、現行のティシュ・ペーパーほどの方形で、２０ｃｍ×２０ｃｍで、厚さは、０．２〜０．３ｍｍほどの、厚めにする。
（ロ）方形用紙１枚ずつの、一角の部分を折り、略二等辺三角形を形成し、さらに、前記の略二等辺三角形状を、先端より内側に折りたたみ、袋状にする。
（ハ）内側に折りたたんだ折り山に、指を入れる目印として着色する。
（ニ）略二等辺三角形を内側に折りたたんだ、折り辺の端を接着または、圧着させる。
（ホ）１枚ずつたたみ、上部に袋の部分が出るように重ねる。
（ヘ）１００枚〜２００枚を１組として、箱に入れ、上部が前面開く、ふたをつける。
（ト）これを使用するについては、袋状の箇所に指を入れれば、すぐに１枚とれる。
【符号の説明】
【０００９】１．本体
２．指を入れる箇所
３．折り辺
【図１】
2014117591.tif 000003
【図２】
2014117591.tif 000004
【図３】
2014117591.tif 000005
(57)【要約】      （修正有）【課題】縦型ランチボックスを使って食事をする時に、同時または食前食後に使用する用具、食前食後に服用するべく医薬品類等を本体接続部蓋体並びに最上段蓋体に収納可能とし、また食品の保存効果を期待できる縦型ランチボックスを提供すること。【解決手段】縦型ランチボックスの積み重ね容器の接続部蓋体に収納空間を設け、食事する時に同時または食前食後に使用する用具等、例えば箸、フォーク、スプーン、爪楊枝、調味料、医薬品類、サプリメント等を収納可能とし、更に最上段蓋体にはより大きな空間を確保する為に、逆凹型の最上部蓋体３を設けより大きな収納容積を確保し、各種小物類の収納可能とし、また、夏場の高温季節時には、接続部蓋体２並びに最上段蓋体部収納空間に保冷剤を格納する事により、ランチボックス内部温度低下が図られ、食品保存効果が期待できる。【選択図】図２
2014117597.tif 000002
【特許請求の範囲】
【請求項１】
縦型ランチボックス本体の積み重ね容器接続蓋体並びに最上段蓋体に各種物品を収納する為の空間を設けた事を特徴とする縦型ランチボックスである。
【発明の詳細な説明】
【技術分野】
【０００１】  本発明は、縦型ランチボックスを使って食事する時に、同時または食前食後に使用する用具、例えば箸、フォーク、スプーン、爪楊枝等、更に調味料、食前食後に服用するべく医薬品類、サプリメント等を本体接続部蓋体並びに最上段蓋体に収納可能とした縦型ランチボックスに関するものである。
【背景技術】
【０００２】  通常、ランチボックスは家庭内で使用し食事をする事は少なく、食事する時に同時または食前食後に使用する用具、例えば箸、フォーク、スプーン、爪楊枝等、更に調味料、食前食後に服用するべく医薬品類、サプリメント等を同時持参する必要が有る。
従来、同様縦型ランチボックスには、積み重ね本体容器には個々の蓋は装備されていたが、当該蓋には収納空間はなく、食事時に使用する用具、調味料類他は本体とは別々に持参する必要があった。
【先行技術文献】
【特許文献】
【０００３】
【技術文献１】
特開２０１２−２３６１０６広報。
【発明の概要】
【発明が解決しようとする課題】
【０００４】  従来型の縦型ランチボックスには各種小物、例えば箸、フォーク、スプーン、爪楊枝等の収納空間がない為、食事の際必要とされる、各種小物類、調味料類を忘れる事が有り、持ち運びにも不便であるという欠点が有った。【０００５】  また、食前食後に服用するべく医薬品、サプリメント類も１回服用量が少量という事も有り同時持参を忘れる事が有った。【０００６】  更に、夏場の高温時期には食品腐敗の危惧があり、通常ランチボックスを冷蔵庫保管する方法が採られて来たが、冷蔵庫保管が出来ない場合には腐敗を危惧しながらそのまま室温保管する方法しかなかった。
本発明は、以上のような欠点をなくす為になされたものである。
【課題を解決するための手段】
【０００７】  縦型ランチボックスの積み重ね容器の本体接続部蓋体に収納空間を設け、食事する時に同時または食前食後に使用する用具等、例えば箸、フォーク、スプーン、爪楊枝、調味料、医薬品類サプリメント等を収納可能とし、更に最上段蓋体にはより大きな空間を確保する為に、逆凹型の最上部蓋体を設けより大きな収納容積を確保し、各種小物類の収納を可能とした。【０００８】  また、夏場の高温季節時には、接続蓋体並びに最上段蓋体部収納空間に保冷剤を格納する事により、ランチボックス内部温度低下が図られ食品保存効果が期待できる。
本発明は、以上の構成よりなる縦型ランチボックスである。
【発明の効果】
【０００９】  本発明のランチボックスは、各本体容器間の接続蓋体収納空間に、例えば調味料等、他の蓋体には例えば医薬品類、サプリメント等を、更に最上段蓋体には、例えば折りたたみ式の箸、フォーク、スプーンを格納しランチボックスに付属一体化とする為、ランチボックスとしての利便性が向上した。【００１０】  また、本発明ランチボックスの接続部蓋体、最上段蓋体の収納空間に、市販されている冷却された保冷剤を格納する事により、ランチボックス内部の冷却に寄与し、夏場の様な高温季節時のランチボックス内部の食品保存効果が期待される。
【図面の簡単な説明】
【００１１】
【図１】この発明の実施形態の縦型ランチボックスの全体分解斜視図である。
【図２】この発明の実施形態の縦型ランチボックス全体斜視図である。
【発明を実施する為の形態】
【００１２】  以下、本発明の実施の形態について説明する。
ランチボックス本体部分と接続部蓋体との接続は、本体上縁内周側に数個の突起を備え接続蓋体下縁外周側にはそれに噛み合わされるコの字型溝を形成し、約３０度程度回転させる事で本体と接続部蓋体とを嵌合固定する。
同様に接続部蓋体の上縁内周側に突起を備え、本体下縁外周側にコの字型溝を形成して、同様に約３０度程度回転させる事で嵌合接続する。
以降は同様繰り返し積み重ねランチボクスを形成する。
【００１３】  更に、最上段蓋体には逆凹型の最上部蓋体を設け、接続部蓋体上縁内周側の突起に噛み合わされるコの字型溝を最上部蓋体下縁外周側に形成し、約３０度程度回転させる事で嵌合固定し、更に最上部蓋体を嵌合固定し、縦型ランチボクッス全体を構成する。
本発明は以上の様な構造である。
【００１４】  本発明を使用するときには、例えばランチボックス本体１段目には主食のごはん等、２段目、３段目のランチボックス本体には副食等を入れ、例えば本体間の接続部蓋体収納空間には、ふりかけや調味料等を収納し、例えば最上部蓋体収納空間には、折りたたみ式の箸、スプーン等を収納する。
また、夏場等の高温季節には接続部蓋体や最上部蓋体収納部に冷却した市販の保冷剤を収納する。
【符号の説明】
【００１５】  １  ランチボックス本体
２  接続部蓋体
３  最上部蓋体
５  接続部蓋体とランチボックス本体との接続噛み合わせ用溝
６  接続部蓋体とランチボックス本体との接続噛み合わせ用突起
【図１】
2014117597.tif 000003
【図２】
2014117597.tif 000004
(57)【要約】      （修正有）【課題】靴の中に鍵を入れると便利で、軽くて履きやすく、躓かない、転ばない、子供、障害者、高齢者、運転士の人に安全で安心して歩ける、つぅかけと靴が一体になつぅている、つぅかけ靴を堤供する。【解決手段】つぅかけ靴の後に（１）革の後を設け（片手で楽に履ける）、（３）・・・にて中に折り畳み、つぅかけにする。土踏まず（４）の下に合鍵を入れる袋布平ゴムテープを設け、甲被に布平ゴムテープ（５）を設けることで、弾力があつぅて履きやすく、爪先部（６）に水は滲まないようにするとともに、靴底接地面部に文数（７）をいれ、靴底ゴム滑り止め（８）をして、段差無しにして、軽くて履きやすいつぅかけ靴とした。【選択図】図１
2014117590.tif 000002
【特許請求の範囲】
【請求項１】
つぅかけ靴（１）革  靴の後片手で楽に履けるように（２）を設け付ける（３）・・・を中に折り畳みつぅかけにする。（４）を設け外出のとき（散歩、ゴミ出し）戸締りをして（４）の中に鍵を入れると便利です。（５）布平ゴムテープを設ける。弾力があつて履きやすい。（６）水が滲まないようにする（７）文数を入れる（８）靴底ゴム  段差無  滑り止めをする。
私  平成１８年に心臓から脳梗塞となり半身不随になって外出のとき履物の靴底が硬くタイルの上に砂や濡れていると滑りタイルの角に躓き困っていた。
この  技術的なつぅかけ靴の部分が、私の権利です。
【発明の詳細な説明】
【技術分野】
【０００１】この発明は  靴の後ろを内側に折り畳み  つぅかけに関するものである。
【背景技術】
【０００２】従来  つぅかけと  靴は別々になっていた。
【先行技術文献】
【特許文献】
【０００３】
【特許文献１】  特開００００−００００００号公報
【発明の概要】
【発明が解決しようとする課題】
【０００４】これは、次のような欠点があつた。
従来  つぅかけの底が硬くタイルの上に砂があつぅたり  濡れていると滑り角に躓き自ら障害者になり困っていた。
本発明は、似上のような欠点を  なくすため  なされたものである。
【課題を解決するための手段】
【０００５】つぅかけ  靴（１）革（２）布テープをもうける（片手で楽にはける。）
（３）・・・を中に折り畳  つぅかけにする（４）土踏まずの下合鍵を入れる袋を設ける。（５。）布平ゴムテープを設ける（弾力があって履きやすい。）（６）水は滲まないようにする。（７）文数を入れる（８）底面ゴム  滑り止め  段差無。
本  発明は、似上の構成よりなる  つぅかけ  靴である。
【発明の効果】
【０００６】つぅかけ  靴は  つぅかけと靴は  一体になつぅているので外出の時（散歩、ゴミ出し）戸締りをして（４）の中に合鍵を入れると便利です。
底面はゴムで滑り止めを  しているので滑らない、躓かない  軽くて  子供、障害者，高齢者  運転士の人  安全で安心してあるける
【図面の簡単な説明】
【０００７】
【図１】  本発明の斜視図である。
【図２】  本発明の底面である。
【発明を実施するための形態】
【０００８】以下、本発明を実施するための形態について説明する。
つぅかけ  靴（１）革（２）布テープを設ける（片手で楽に履ける。）（３）・・・を中に折り畳  つぅかけにする（４）土踏まずの下に合鍵を入れる袋布テープを設ける。（外出の時  散歩、ゴミ出し、）（４）の中に合鍵をいれる。（５）布平ゴムテープを設ける。（弾力があり履きやすい）（６）水は滲まないようにする。（７）文数を入れる。（８）底面ゴム  段差なし  滑り止めをする。
本発明は、以上のような構造である。
【符号の説明】
【０００９】（１）革（２）布テープを設ける（３）・・・を中に折り畳み  つぅかけにする。
（４）布平ゴムテープを設ける。（５）布平ゴムテープを設ける。
（６）水は滲まないようにする。（７）文数を入れる。
（８）底面ゴム  滑り止めをする。段差無し。
【図１】
2014117590.tif 000003
【図２】
2014117590.tif 000004
(57)【要約】      （修正有）【課題】サンダルの後を中に折り畳み、つっかけにする。外出の時（散歩、ゴミ出し）、袋の中に戸締りをして鍵を入れると便利です。軽くて履きやすく転ばない。子供、障害者、高齢者、運転士の人が、安全で安心して歩けるつっかけサンダルを堤供する。【解決手段】つっかけサンダルの後に革（１）、布テープ（２）を設けることにより、片手で楽に履ける。これを中に折り畳み、つっかけにする。土踏まずの下に合鍵を入れる袋（４）を設ける。さらに布平ゴムテープ（５）を設けることにより、弾力があって履きやすくなる。爪先（６）を明け、サンダルにする。文数を入れる。サンダルの底ゴムは、段差の無い、滑り止めとする。【選択図】図１
2014117589.tif 000002
【特許請求の範囲】
【請求項１】
（１）つぅかけサンダル（２）サンダルの後ろ片手で楽に履けるように（２）を設ける（３）・・・を中に折り畳みつぅかけにする（４）布ゴムテープ合鍵を入れる袋を設ける外出の時（散歩  ゴミ出し）戸締りをして（４）の中に鍵を入れると便利です。（５）布ゴムテープを設ける。弾力があつて履きやすい（６）爪先を明サンダルにする。（７）文数を入れる（８）サンダルの底ゴム  段差無し  滑り止めをする。
私  平成１８年に心臓から脳梗塞となり半身不随になつて外出の時  履物の靴底が硬くタイルの上に砂や濡れていると滑りタイルの角に躓き困っていた。
この  技術的な  つぅかけサンダルの部分が、私の権利です。
【発明の詳細な説明】
【技術分野】
【０００１】この発明は  サンダルの後ろを内側に折り畳み  つぅかけに関するものである。
【背景技術】
【０００２】従来  つぅかけと  サンダルは別々になっていた。
【先行技術文献】
【特許文献】
【０００３】
【特許文献１】  特開００００−００００００号公報
【発明の概要】
【発明が解決しようとする課題】
【０００４】これは、次のような欠点があつた。
従来  つぅかけの底が硬くタイルの上に砂があったり  濡れていると滑り角に躓き自ら障害者になり困っていた。
本発明は、似上のような欠点を  なくすため  なされたものである。
【課題を解決するための手段】
【０００５】つぅかけ  サンダル（１）革（２）布テープをもうける（片手で楽にはける。）
（３）・・・を中に折り畳  つぅかけにする（４）土踏まずの下合鍵を入れる袋を設ける。（５。）布平ゴムテープを設ける（弾力があって履きやすい。）（６）つま先を明けてサンダルにする（７）文数を入れる（８）底面ゴム  滑り止め  段差無。
本  発明は、似上の構成よりなる  つぅかけ  サンダルである。
【発明の効果】
【０００６】つぅかけ  サンダルは  つぅかけとサンダルは  一体になつぅているので外出の時（散歩、ゴミ出し）戸締りをして（４）の中に合鍵を入れると便利です。
底面はゴムで滑り止めを  しているので滑らない、躓かない  軽くて  子供、障害者，高齢者  運転士の人  安全で安心してあるける
【図面の簡単な説明】
【０００７】
【図１】  本発明の斜視図である。
【図２】  本発明の底面である。
【発明を実施するための形態】
【０００８】以下、本発明を実施するための形態について説明する。
つぅかけ  サンダル（１）革（２）布テープを設ける（片手で楽に履ける。）（３）・・・を中に折り畳  つぅかけにする（４）土踏まずの下に合鍵を入れる袋布テープを設ける。（外出の時  散歩、ゴミ出し、）（４）の中に合鍵をいれる。（５）布平ゴムテープを設ける。（弾力があり履きやすい）（６）つま先を明け  サンダルにする。（７）文数を入れる。（８）底面ゴム  段差なし  滑り止めをする。
本発明は、以上のような構造である。
【符号の説明】
【０００９】（１）革（２）布テープを設ける（３）・・・を中に折り畳み  つぅかけにする。
（４）布平ゴムテープを設ける。（５）布平ゴムテープを設ける。
（６）つま先を明けサンダルにする。（７）文数を入れる。
（８）底面ゴム  滑り止めをする。段差無し。
【図１】
2014117589.tif 000003
【図２】
2014117589.tif 000004
(57)【要約】【課題】近年殺虫剤に耐性をもつナンキンムシの発生が多発するようになり殺虫剤によらない駆除が必要になっている。そこで本発明はナンキンムシを捕獲して駆除することを目的とするナンキンムシ捕獲器を提供する。【解決手段】ナンキンムシは、温かく暗い場所を好む事から、使い捨てカイロ等で使用される鉄の酸化熱を利用し温かくし、捕獲器をパイプ状にすることでパイプ内部を暗くしてナンキンムシを誘引する。誘引したナンキンムシをパイプ内側面に形成した粘着面で粘着捕獲する。捕獲したナンキンムはナンキンムシ捕獲器ごと廃棄して駆除する。【選択図】図４
2014117274.tif 000002
【特許請求の範囲】
【請求項１】
使い捨てカイロ等で使用される鉄の酸化熱を利用してナンキンムシ捕獲器を温めナンキンムシを誘引して粘着面でナンキンムシを粘着捕獲するナンキンムシ捕獲器。
【請求項２】
ナンキンムシ捕獲器をパイプ状にすることでパイプ内部を暗くしてナンキンムシを誘引してパイプ内部に形成した粘着面でナンキンムシを粘着捕獲するナンキンムシ捕獲器。
【発明の詳細な説明】
【技術分野】
【０００１】  本発明は、ナンキンムシを捕獲駆除するためのナンキンムシ捕獲器に関するものである。
【背景技術】
【０００２】  従来、ナンキンムシは殺虫剤によって駆除されてきた。
【発明の概要】
【発明が解決しようとする課題】
【０００３】  しかしながら近年殺虫剤に耐性をもつナンキンムシの発生が多発するようになり殺虫剤によらない駆除が必要になっている。そこで本発明はナンキンムシを殺虫剤によって駆除するのではなく、ナンキンムシを捕獲して駆除することを目的とするナンキンムシ捕獲器を提供するものである。
【課題を解決するための手段】
【０００４】  上記目的を達成するために、本発明のナンキンムシ捕獲器は、ナンキンムシの好む温かく暗い場所をナンキンムシに提供してナンキンムシを誘引捕獲するものである。【０００５】  温かい捕獲器とするために、本発明のナンキンムシ捕獲器は、使い捨てカイロ等で使用される鉄の酸化熱を利用して捕獲器を温めナンキンムシを誘引する。【０００６】  暗い捕獲器とするために、本発明のナンキンムシ捕獲器は、捕獲器をパイプ状にすることでパイプ内部を暗くしてナンキンムシを誘引する。【０００７】  誘引したナンキンムシを捕獲するため、本発明のナンキンムシ捕獲器は、パイプ状内側面に粘着面を構成することで誘引したナンキンムシを粘着捕獲する。捕獲したナンキンムはナンキンムシ捕獲器ごと廃棄して駆除する。
【発明の効果】
【０００８】  本発明のナンキンムシ捕獲器は、殺虫剤を用いずナンキンムシを捕獲駆除できる。【０００９】  殺虫剤を用いないことにより、ナンキンムシの更なる薬剤耐性を抑えることができる。【００１０】  殺虫剤を用いないことにより、薬剤アレルギーのある方でも使用できる。
【図面の簡単な説明】
【００１１】
【図１】本発明のナンキンムシ捕獲器の断面図である。
【図２】本発明のナンキンムシ捕獲器の別例断面図である。
【図３】本発明のナンキンムシ捕獲器の密封体を取り除いた平面図である。
【図４】本発明のナンキンムシ捕獲器の使用時における斜視図である。
【発明を実施するための形態】
【００１２】  以下、本発明の実施の形態および使用法を図に基づき説明する。
本発明のナンキンムシ捕獲器は、使用前はシート状であり使用前の断面図は図１のように構成される。本発明のナンキンムシ捕獲器は、使い捨てカイロ等で使用される鉄の酸化熱を利用する発熱体３０を収容した袋状体３１をパイプ状に仕組むための面状体１０に接着剤１１で接着する。面状体１０の他面には、ナンキンムシ捕獲のための粘着面２０を設け、粘着面２０の全面に剥離紙４０を設ける。さらに発熱体３０を酸素から遮断するための密封体５０により覆う。
【００１３】  使用時は密封体５０を開封して発熱体３０に酸素を供給して発熱を促す。
【００１４】  次に、ナンキンムシ粘着捕獲のための粘着面を露出するために剥離紙を取り除く。
【００１５】  図３は本発明のナンキンムシ捕獲器の密封体５０を取り除いた平面図であり、概略四角形のＡ・Ｂ両辺を図３の様に一部カットしている。
【００１６】  図４は、本発明のナンキンムシ捕獲器の使用時における斜視図であり、図３のＡ・Ｂ両端を互い違いに噛み合わせ、ナンキンムシ捕獲のための粘着面の一部を利用して粘着してパイプ状に仕組む。パイプ状に仕組んだナンキンムシ捕獲器を寝具、衣装ケース等に忍ばせる。床、天井裏で使用する場合は、雑誌あるいは折り畳んだ新聞紙等に挟んで使用する。
【００１７】  これらにより、ナンキンムシが好む条件、温くて、暗いことでナンキンムシを誘引して粘着面で捕獲する。捕獲したナンキンムはナンキンムシ捕獲器ごと廃棄して駆除する。
【００１８】  さらに、本発明のナンキンムシ捕獲器の温かさは鉄の酸化熱によるものあり、鉄の酸化により本発明のナンキンムシ捕獲器周囲の酸素を吸収することで相対的に二酸化炭素の濃度が高くなる。二酸化炭素はナンキンムシを誘引する効果があることから、ナンキンムシを誘引する効果がより高くなることも考えられる。
【００１９】  尚、図２は、袋状体３１に粘着面２０を形成したものであり、粘着面２０を内側になるようにパイプ状に仕組むことで図１と同様の効果となる。
【００２０】  また、本発明のナンキンムシ捕獲器を製造する場合において面状体１０と袋状体３１を一体化して形成してもよい。さらに、使用時においてパイプ状にする上で、別途テープでの固定、他の噛み合わせ方法、輪ゴム等を用いても又これらの組み合わせでパイプ状に仕組んでも良い。
【符号の説明】
【００２１】１０  面状体
１１  接着剤
２０  粘着面
３０  発熱体
３１  袋状体
４０  剥離紙
５０  密封体
【図１】
2014117274.tif 000003
【図２】
2014117274.tif 000004
【図３】
2014117274.tif 000005
【図４】
2014117274.tif 000006
(57)【要約】      （修正有）【課題】膨らんだごみ袋の口を、結束しやすくするため粘着テープ結束ホルダーを提供する。【解決手段】従来、ごみ袋の両端を、手で持って口を縛るか、紐で縛っていたため、（イ）ごみ袋の両端を手で縛るとき、ごみを袋に入れすぎると両端が短くなり手で縛るのが困難である。（ロ）ごみ袋を紐で縛るとき、手を離すので袋の口が動いて縛るのが困難になっていた等の問題があった。膨らんだごみ袋の口を、結束しやすくするため、粘着テープホルダー１に、Ｕ字形のくぼみ４を形状して、非粘着面７とローラー３を設ける。【選択図】図２
2014136650.tif 000002
【特許請求の範囲】
【請求項１】
粘着テープホルダーに、Ｕ字形のくぼみを形状して、非粘着面とローラーを設けることを特徴とする粘着テープ結束ホルダー。
【発明の詳細な説明】
【技術分野】
【０００１】  本発明は、ごみ袋の口を、簡単に粘着テープで結束する、粘着テープ結束ホルダーに関するものである。
【背景技術】
【０００２】  従来、ごみ袋の両端を、手で持って口を縛るか、紐で縛っていたのである。
【先行技術文献】
【特許文献】
【０００３】
【特許文献１】
【非特許文献１】
【発明の概要】
【発明が解決しようとする課題】
【０００４】  そのために次のような問題点があった。
（イ）ごみ袋の両端を手で縛るとき、ごみを袋に入れすぎると両端が短くなり手で縛る  のが困難である。
（ロ）ごみ袋を紐で縛るとき、手を離すので袋の口が動いて縛るのが困難になっていた  。
本発明は、以上の問題を解決するためになされたものである。
【課題を解決するための手段】
【０００５】  テープホルダーに、非粘着部分、ローラー、Ｕ字形のくぼみの所に、粘着テープの粘着  面を外側にして設けたものである。
以上を特徴とする粘着テープ結束ホルダーである。
【発明の効果】
【０００６】  ごみ袋の口を片手で持って、もう片方の手で粘着テープ結束ホルダーを持ちＵ字形のく  ぼみに袋を押し当て、ごみ袋の回りを廻すと、ごみ袋が膨らんでいても絞りながら結束  できるのである。
【図面の簡単な説明】
【０００７】
【図１】  本発明の平面図である。
【図２】  本発明のＡ−Ａ断面図である。
【図３】  本発明の使用状態を示した斜視図である。
【発明を実施するための形態】
【０００８】  以下、本発明の実施の形態について説明する。
（イ）テープホルダー（１）に粘着テープ（２）を粘着面（７）を外側にして装着する。
（ロ）Ｕ字形のくぼみ（４）を設けて、その先にテープ切り刃（６）を取り付ける。
（ハ）テープホルダー（１）に粘着テープ（２）が貼り付かない用うに、ローラー（３）      と非粘着面（５）を設ける。
（ニ）引き出した粘着テープ（２）がテープホルダー（１）内に、戻らないように粘着テ      ープ戻り防止ピン（８）を設ける。
本発明は、以上の構成よりなっている。
本発明を使用するときは、ごみ袋の口を片手で握って、もう片方の手で粘着テープ結束ホルダーを持ち、Ｕ字形のくぼみにある粘着テープに、ごみ袋を押し当て、ごみ袋の回りを廻すと、ローラーと非粘着面があるために、入れすぎたごみ袋も絞りながら容易に結束できるのである。
【符号の説明】
【０００９】１  テープホルダー
２  粘着テープ
３  ローラー
４  Ｕ字形のくぼみ
５  非粘着面
６  テープ切り刃
７  粘着面
８  粘着テープ戻り防止ピン
【図１】
2014136650.tif 000003
【図２】
2014136650.tif 000004
【図３】
2014136650.tif 000005